(57)【要約】【課題】記録ヘッドから液体を噴射したときに発生して浮遊するミストを記録ヘッドに付着させることなく効果的に回収できる記録装置を提供する。【解決手段】記録装置は、ノズルプレート２８と対向する位置を通過するように搬送される媒体Ｐに対してノズルプレートに形成されたノズル開口２７から液体を噴射する記録ヘッド２５を内部に有する装置本体と、ノズルプレートと対向する位置を挟んで媒体の搬送方向における上流側及び下流側に配置される上流側電極部３２及び下流側電極部３３と、を備え、上流側電極部及び下流側電極部は、電圧の印加に伴い上流側電極部と下流側電極部との間に電界が形成されるように構成されている。【選択図】図３
2019064060.tif 000002
【特許請求の範囲】
【請求項１】
ノズルプレートと対向する位置を通過するように搬送される媒体に対して前記ノズルプレートに形成されたノズル開口から液体を噴射する記録ヘッドを内部に有する装置本体と、
前記ノズルプレートと対向する位置を挟んで前記媒体の搬送方向における上流側及び下流側に配置される上流側電極部及び下流側電極部と、
を備え、
前記上流側電極部及び前記下流側電極部は、電圧の印加に伴い前記上流側電極部と前記下流側電極部との間に電界が形成されるように構成されていることを特徴とする記録装置。
【請求項２】
前記上流側電極部及び前記下流側電極部は、前記ノズルプレートと対向する方向に対して交差する方向であって且つ前記媒体の搬送方向と交差する方向へ互いに平行に延びるように配設されていることを特徴とする請求項１に記載の記録装置。
【請求項３】
前記ノズルプレートと対向する位置には、前記搬送方向に搬送される前記媒体を支持可能な支持面が設けられ、前記上流側電極部及び前記下流側電極部は、前記ノズルプレートと対向する方向において、前記支持面よりも前記ノズルプレートからは離れた位置に設けられていることを特徴とする請求項１又は請求項２に記載の記録装置。
【請求項４】
前記上流側電極部と前記下流側電極部とは電圧が印加されたときの極性が異なるように構成されていることを特徴とする請求項１〜請求項３のうち何れか一項に記載の記録装置。
【請求項５】
前記媒体の搬送方向における前記上流側電極部と前記下流側電極部との間の距離は、前記ノズルプレートと対向する方向における前記上流側電極部又は前記下流側電極部と前記ノズルプレートとの間の距離よりも短いことを特徴とする請求項１〜請求項４のうち何れか一項に記載の記録装置。
【請求項６】
前記記録ヘッドは、帯電材料で構成され、前記装置本体には、導電材料で構成された除電部材が設けられ、前記記録ヘッドは、前記除電部材により除電可能とされていることを特徴とする請求項１〜請求項５のうち何れか一項に記載の記録装置。
【請求項７】
前記記録ヘッドは、前記媒体の搬送方向と交差する方向に移動自在な移動体に搭載され、前記移動体が移動する方向における第１端側及び第２端側の少なくとも一方の位置には、前記除電部材が接地された状態で前記移動体に対して接触可能に設けられていることを特徴とする請求項６に記載の記録装置。
【請求項８】
前記記録ヘッドは、前記媒体の搬送方向と交差する方向に移動自在な移動体に搭載され、前記除電部材は、前記移動体に設けられていることを特徴とする請求項６に記載の記録装置。
【発明の詳細な説明】
【技術分野】
【０００１】
本発明は、媒体に液体を噴射して記録を行う記録装置に関する。
【背景技術】
【０００２】
従来、この種の記録装置として、例えば特許文献１に記載の液体噴射装置がある。この液体噴射装置は、ノズルプレートに形成されたノズルから液体を噴射する記録ヘッドと、ノズルから液体が噴射された際に発生する霧状の微細な液滴（以下、「ミスト」という。）を吸着する吸収部材と、を備えている。吸収部材は、導電性材料を含んでおり、上下方向においてノズルプレートとの間に僅かな間隔をおいて対向するように配置されている。
【０００３】
そして、この液体噴射装置では、吸収部材にプラスの電圧を印加するとともに、ノズルプレートを接地させることにより、上下方向で対向する吸収部材とノズルプレートとの間に電界が形成されるようにしている。すなわち、吸収部材にはプラスの電荷が誘起される一方、ノズルプレートにはマイナスの電荷が誘起されるようにし、ノズルプレートのノズルからの噴射によりマイナスに帯電して浮遊するミストを、逆極性のプラスの電位にある吸収部材の方向に向かわせて吸収部材に吸着されるようにしている。
【先行技術文献】
【特許文献】
【０００４】
【特許文献１】特開２００４−２０２８６７号公報
【発明の概要】
【発明が解決しようとする課題】
【０００５】
上記の液体噴射装置では、ノズルプレートと同極（例えばマイナス）に帯電したミストを、逆極性（例えばプラス）の電位にある吸収部材に向かわせて吸着させているが、液体の噴射に伴い発生するミストのうちにはノズルプレートと逆極性に帯電するものもある。すなわち、飛翔する液滴から空気抵抗により分離してできるミストには、相対的に大きい粒のミストと相対的に小さい粒のミストがある。そして、相対的に大きい粒のミストは、ノズルプレートのノズルから噴射された液滴と同様にノズルプレートと同極のマイナスに帯電する一方で、相対的に小さい粒のミストは、ノズルプレートと逆極性のプラスに帯電することがある。そのため、このようにプラスに帯電したミストは、相対的に小さい粒であることから浮遊した状態となって、例えばプラスの電位にある吸収部材側に向かうよりも、むしろマイナスの電位にあるノズルプレート側に引き寄せられて記録ヘッドに付着してしまう虞があった。
【０００６】
本発明は、このような実情に鑑みてなされたものであり、その目的は、記録ヘッドから液体を噴射したときに発生して浮遊するミストを記録ヘッドに付着させることなく効果的に回収できる記録装置を提供することにある。
【課題を解決するための手段】
【０００７】
以下、上記課題を解決するための手段及びその作用効果について記載する。
上記課題を解決する記録装置は、ノズルプレートと対向する位置を通過するように搬送される媒体に対して前記ノズルプレートに形成されたノズル開口から液体を噴射する記録ヘッドを内部に有する装置本体と、前記ノズルプレートと対向する位置を挟んで前記媒体の搬送方向における上流側及び下流側に配置される上流側電極部及び下流側電極部と、を備え、前記上流側電極部及び前記下流側電極部は、電圧の印加に伴い前記上流側電極部と前記下流側電極部との間に電界が形成されるように構成されている。
【０００８】
この構成によれば、電圧の印加に伴い上流側電極部と下流側電極部との間に電界が形成される。すなわち、ノズルプレートと平行な方向である横方向に電界が形成されることになる。そのため、ノズルプレートと直交する方向である縦方向に電界が形成される場合とは異なり、記録ヘッドに向けてミストが舞い上がることを抑制でき、浮遊しているミストを上流側電極部又は下流側電極部が位置する側に引き寄せて回収することができる。
【０００９】
上記記録装置において、前記上流側電極部及び前記下流側電極部は、前記ノズルプレートと対向する方向に対して交差する方向であって且つ前記媒体の搬送方向と交差する方向へ互いに平行に延びるように配設されていることが好ましい。
【００１０】
この構成によれば、ノズルプレートの直下の狭い空間内で浮遊しているミストを、そのノズルプレートの直下領域の外側に広がる広い空間に向けて流れ出ようとする気流の流れも利用して、その気流の流れ方向と交差するように延びる上流側電極部又は下流側電極部に向けて移動させることができる。
【００１１】
上記記録装置において、前記ノズルプレートと対向する位置には、前記搬送方向に搬送される前記媒体を支持可能な支持面が設けられ、前記上流側電極部及び前記下流側電極部は、前記ノズルプレートと対向する方向において、前記支持面よりも前記ノズルプレートからは離れた位置に設けられていることが好ましい。
【００１２】
この構成によれば、ノズルプレートの直下の空間内に浮遊しているミストを媒体が支持される支持面よりもノズルプレートから離れた位置において回収できるので、支持面上を通過する媒体が汚れる虞を低減できる。
【００１３】
上記記録装置において、前記上流側電極部と前記下流側電極部とは電圧が印加されたときの極性が異なるように構成されていることが好ましい。
この構成によれば、浮遊しているミストがプラスに帯電している場合及びマイナスに帯電している場合の何れの場合にも、電位がプラス及びマイナスの何れかである上流側電極部及び下流側電極部の位置する側にミストを引き寄せて回収することができる。
【００１４】
上記記録装置において、前記媒体の搬送方向における前記上流側電極部と前記下流側電極部との間の距離は、前記ノズルプレートと対向する方向における前記上流側電極部又は前記下流側電極部と前記ノズルプレートとの間の距離よりも短いことが好ましい。
【００１５】
この構成によれば、電圧の印加に伴い、仮に、上流側電極部又は下流側電極部とノズルプレートとの間に電界が形成されるとしても、上流側電極部と下流側電極部との間の電界強度の方が優るため、ノズルプレートの側にミストが舞い上がることを効果的に抑制できる。
【００１６】
上記記録装置において、前記記録ヘッドは、帯電材料で構成され、前記装置本体には、導電材料で構成された除電部材が設けられ、前記記録ヘッドは、前記除電部材により除電可能とされていることが好ましい。
【００１７】
この構成によれば、帯電した記録ヘッドにはミストが引き寄せられやすいが、除電部材により除電することにより、そうしたミストの引き寄せを抑制できる。
上記記録装置において、前記記録ヘッドは、前記媒体の搬送方向と交差する方向に移動自在な移動体に搭載され、前記移動体が移動する方向における第１端側及び第２端側の少なくとも一方の位置には、前記除電部材が接地された状態で前記移動体に対して接触可能に設けられていることが好ましい。
【００１８】
この構成によれば、移動体が帯電した場合にも、その移動体が移動する方向の第１端側及び第２端側の少なくとも一方の位置において除電部材と接触することで除電される。そのため、浮遊しているミストが移動体に付着することを抑制できる。
【００１９】
上記記録装置において、前記記録ヘッドは、前記媒体の搬送方向と交差する方向に移動自在な移動体に搭載され、前記除電部材は、前記移動体に設けられていることが好ましい。
【００２０】
この構成によれば、移動体が帯電した場合にも、その移動体をグランドに接続するための配線構造を要することなく、簡単な構成で除電することができ、浮遊しているミストが移動体に付着することを抑制できる。
【図面の簡単な説明】
【００２１】
【図１】第１実施形態の記録装置の概略構成を模式的に示す側面図。
【図２】媒体支持部の一部を示す平面図。
【図３】図２における３−３線矢視の断面図。
【図４】第２実施形態の記録装置における要部の概略構成を模式的に示す正面図。
【図５】図４の状態から記録ヘッドが除電のために移動した状態を示す正面図。
【図６】第３実施形態の記録装置における要部の概略構成を模式的に示す正面図。
【発明を実施するための形態】
【００２２】
（第１実施形態）
以下、第１実施形態の記録装置について図面を参照して説明する。
図１に示すように、本実施形態の記録装置１１は、筐体となる装置本体１１Ａを有し、装置本体１１Ａの内部には、媒体Ｐを積層状態にして収容可能な媒体収容部１２と、媒体Ｐに対して液体を噴射することで記録を行う記録部１３と、媒体収容部１２から媒体Ｐを記録部１３に向けて搬送する媒体搬送部１４と、を備えている。すなわち、本実施形態における記録装置１１は、媒体搬送部１４により搬送される用紙等の媒体Ｐに対してインク等の液体を噴射することによって記録を行うインクジェット式のプリンターで構成されている。
【００２３】
媒体搬送部１４は、媒体収容部１２内に積層された複数枚の媒体Ｐのうち最上位の媒体Ｐに接触して回転することにより、媒体Ｐを一枚ずつ記録部１３が位置する下流側に給送する給送ローラー１５を備えている。媒体Ｐの給送方向において給送ローラー１５よりも下流側には、給送される媒体Ｐの幅方向でもあるＸ軸方向に沿う軸１６を中心にして回転する反転ローラー１７が設けられている。この反転ローラー１７は、その周面に媒体Ｐを巻き付けた状態で、図１において反時計方向に回転することにより、媒体収容部１２から給送ローラー１５が送り出した媒体Ｐを反転させて下流側に給送する。
【００２４】
反転ローラー１７の周囲には、反転ローラー１７との間に媒体Ｐを挟んで従動回転する２つの従動ローラー１８，１９が回転自在に設けられている。２つの従動ローラー１８，１９のうち給送方向で下流側に位置する従動ローラー１９よりも更に下流側に給送された媒体Ｐは、図１において二点鎖線で示す搬送経路に沿って搬送される。すなわち、下流側の従動ローラー１９の斜め下方となる位置には、媒体Ｐが記録部１３に向かう搬送方向であるＹ軸方向に沿って搬送されるように媒体Ｐをガイドする斜面を有したガイド部材２０が設けられている。
【００２５】
さらに、媒体搬送部１４は、ガイド部材２０よりも搬送方向の下流側に、第１搬送ローラー対２１と第２搬送ローラー対２２とを備えている。媒体Ｐの搬送方向（Ｙ軸方向）において、第１搬送ローラー対２１は記録部１３よりも上流側に設けられ、第２搬送ローラー対２２は記録部１３よりも下流側に設けられている。第１搬送ローラー対２１及び第２搬送ローラー対２２は、それぞれ駆動ローラーと従動ローラーとからなり、媒体ＰをＹ軸方向に沿う水平な状態にして搬送するように構成されている。そして、記録部１３を通過した媒体Ｐは下流側の第２搬送ローラー対２２により更に下流側に搬送されて装置本体１１Ａの内部から外部に排出される。
【００２６】
図１及び図２に示すように、記録部１３は、第１搬送ローラー対２１及び第２搬送ローラー対２２により挟持されて下流側に搬送される媒体Ｐを支持する媒体支持部２３を備えている。媒体支持部２３は、媒体Ｐの幅方向であるＸ軸方向を長手方向とする平面視矩形状をなす支持台であり、そのＸ軸方向の長さは媒体Ｐの幅寸法よりも長い。また、鉛直方向であるＺ軸方向において、媒体支持部２３の上方となる位置にはガイド軸２４がＸ軸方向に延びるように架設されている。そして、そのガイド軸２４には、液体を噴射する記録ヘッド２５を搭載した移動体２６が、媒体Ｐの幅方向となる主走査方向（Ｘ軸方向）に往復移動するように支持されている。この点で、本実施形態の記録装置１１は、記録方式が記録ヘッドを搭載した移動体を媒体の搬送方向と交差する方向に移動させて記録を行う、所謂シリアル方式のプリンターである。
【００２７】
図２及び図３に示すように、移動体２６は、直方体形状をなしており、その全体が帯電材料の一例であるプラスチック等の合成樹脂材で形成されている。記録ヘッド２５も、主として帯電材料であるプラスチック等の合成樹脂材で形成されている。そして、その記録ヘッド２５において移動体２６の下面から下方に突出した下端には、液体を噴射する多数のノズル開口２７が形成されたノズルプレート２８が、媒体支持部２３に対して上下方向で対向する下面を鉛直方向であるＺ軸方向に対して直交させるようにして取り付けられている。すなわち、記録ヘッド２５は、媒体支持部２３により支持されつつノズルプレート２８と対向する位置を搬送方向（Ｙ軸方向）の下流側へ通過するように搬送される媒体Ｐに対して、ノズル開口２７から液体を噴射することで記録を行う。因みに、ノズルプレート２８は、導電材料であるステンレス等の金属材料で構成され、グランドに繋がる配線によって接地されている。
【００２８】
媒体支持部２３は、鉛直方向であるＺ軸方向において記録ヘッド２５のノズルプレート２８と対向する側になる上側の領域に、複数のリブ２９を有している。これら複数のリブ２９は、媒体Ｐの幅方向となる主走査方向（Ｘ軸方向）に間隔をおいた複数の位置に媒体Ｐの搬送方向（Ｙ軸方向）に沿って延びるように設けられている。そして、これらのリブ２９において記録ヘッド２５のノズルプレート２８と対向する上面が、搬送方向（Ｙ軸方向）に搬送される媒体Ｐを支持可能な支持面３０を構成している。
【００２９】
また、媒体支持部２３上において複数のリブ２９の間となる領域には、液体を吸収可能な吸収部材３１が配置されている。吸収部材３１は、例えばスポンジ等の多孔質材料で形成されたマット体であり、媒体Ｐから外れるように記録ヘッド２５から噴射された液体や記録ヘッド２５からの液体の噴射時に発生した微細な霧状の液滴であるミストを吸収可能である。そして、図３に示すように、吸収部材３１は、鉛直方向であるＺ軸方向において記録ヘッド２５のノズルプレート２８と対向する上面が、リブ２９において媒体Ｐをその裏面に接触して支持する支持面３０よりも、ノズルプレート２８からは離れた方向となる下方に位置している。
【００３０】
また、媒体支持部２３は、吸収部材３１において記録ヘッド２５のノズルプレート２８と対向する上面側とは反対側となる下面側に、上流側電極部３２及び下流側電極部３３を有している。すなわち、上流側電極部３２及び下流側電極部３３は、ノズルプレート２８と対向する方向（Ｚ軸方向）において吸収部材３１よりもノズルプレート２８から離れた位置に設けられている。そのため、上流側電極部３２及び下流側電極部３３は、媒体Ｐを支持するリブ２９の支持面３０よりもノズルプレート２８からは離れた位置に設けられていることになる。
【００３１】
図２及び図３に示すように、上流側電極部３２と下流側電極部３３は、長尺の板状部材であり、鉛直方向であるＺ軸方向において記録ヘッド２５のノズルプレート２８と対向する位置ＯＰを挟んで媒体Ｐの搬送方向（Ｙ軸方向）における上流側に上流側電極部３２が配置されると共に、下流側に下流側電極部３３が配置されている。そして、上流側電極部３２と下流側電極部３３とは、ノズルプレート２８と対向する方向（Ｚ軸方向）に対して交差する方向（Ｘ軸方向又はＹ軸方向）であって且つ媒体Ｐの搬送方向（Ｙ軸方向）と交差する方向であるＸ軸方向へ互いに平行に延びるように配設されている。
【００３２】
上流側電極部３２及び下流側電極部３３は、導電材料であるステンレス等の金属材料で構成され、上流側電極部３２にはマイナスの電圧を印加するための電源３４が接続される一方、下流側電極部３３にはプラスの電圧を印加するための電源３５が接続されている。すなわち、上流側電極部３２と下流側電極部３３とは、各電源３４，３５から電圧が印加されたときの極性が異なるように構成されている。そして、各電源３４，３５からの電圧の印加に伴い、上流側電極部３２と下流側電極部３３との間には図３に白抜き矢印で示すように電界が形成されるようになっている。
【００３３】
また、図３に示すように、上流側電極部３２と下流側電極部３３は、媒体Ｐの搬送方向（Ｙ軸方向）において上流側と下流側とに距離Ｌ１だけ隔てた各位置に配置されている。この上流側電極部３２と下流側電極部３３の間の距離Ｌ１は、ノズルプレート２８と対向する方向（Ｚ軸方向）において、上流側電極部３２（または下流側電極部３３）とノズルプレート２８との間の距離Ｌ２よりも短い。そのため、上流側電極部３２及び下流側電極部３３に各電源３４，３５から電圧が印加されたとき、ノズルプレート２８も導電材料で構成されていることから、ノズルプレート２８と上流側電極部３２（または下流側電極部３３）との間に電界が形成されたとしても、上流側電極部３２と下流側電極部３３との間の電界強度の方が優ることになる。
【００３４】
次に、上記のように構成された記録装置１１の作用について、記録ヘッド２５から液体が噴射されたときに発生したミストを回収する際の作用に着目して説明する。
さて、記録ヘッド２５におけるノズルプレート２８のノズル開口２７から液体が媒体Ｐに向けて噴射されることにより媒体Ｐには文字、図形等の画像が記録される。このとき、媒体支持部２３上の媒体Ｐに向けてノズルプレート２８のノズル開口２７から液滴として噴射された液体は、記録ヘッド２５内の図示しない圧電素子を駆動するために印加された駆動電圧（通常はプラスの電圧）の影響を受けてプラスに帯電した状態で媒体支持部２３側に飛翔する。そして、その液滴は、飛翔の途中で、プラスに帯電したままで媒体Ｐ側に飛翔を続ける相対的に大粒の主液滴Ｍｄと、その主液滴Ｍｄから空気抵抗により分離してマイナスに帯電した状態で浮遊する相対的に小粒の副液滴（ミスト）Ｓｄとに分離する。
【００３５】
そして、この場合において、上流側電極部３２と下流側電極部３３とに電圧を印加すると、互いに距離Ｌ１を隔てた上流側電極部３２と下流側電極部３３との間、及び、互いに距離Ｌ２を隔てたノズルプレート２８と上流側電極部３２（または下流側電極部３３）との間に電界が形成される。この場合、ノズルプレート２８と上流側電極部３２（または下流側電極部３３）との間には、ノズルプレート２８と直交する方向である縦方向に電界が形成される。一方、上流側電極部３２と下流側電極部３３との間には、ノズルプレート２８と平行な方向である横方向に電界が形成される。そして、この場合において、距離Ｌ１の方が距離Ｌ２よりも短いため、縦方向の電界よりも横方向の電界の方が強度的に優る。
【００３６】
そのため、マイナスに帯電した状態で浮遊する相対的に小粒のミストである副液滴Ｓｄは、強度的に優る横方向の電界の影響を受けて、記録ヘッド２５側となる縦方向には舞い上がり難くなる。そして、図３に太い矢印で示すように、媒体支持部２３と記録ヘッド２５との間においては、ノズルプレート２８の直下で流路抵抗が相対的に大きい狭い空間からその外側の広い空間に向けて気流が流れるようになる。すると、この気流の流れと横方向の電界の作用により、マイナスに帯電した状態で浮遊する相対的に小粒の副液滴（ミスト）Ｓｄは、電源３５からの電圧の印加によりプラスの電位にある下流側電極部３３に向けて引き寄せられる。すなわち、気流の流れ方向と交差するように延びる下流側電極部３３に向けて移動し、その移動途中で支持面３０よりも下方に位置する吸収部材３１に付着して吸収されることにより、舞い上がって記録ヘッド２５や移動体２６に付着するようなこともなく、好適に回収される。
【００３７】
なお、媒体支持部２３上を浮遊する相対的に小粒の副液滴（ミスト）Ｓｄのうちには、マイナスではなくプラスに帯電している副液滴（ミスト）Ｓｄが存在することもあるが、その場合には、電源３４からの電圧の印加によりマイナスの電位にある上流側電極部３２に向けて引き寄せられ、同様に、吸収部材３１に吸収されることにより回収される。
【００３８】
上記第１実施形態によれば、以下のような効果を得ることができる。
（１−１）電源３４，３５からの電圧の印加に伴い、搬送方向（Ｙ軸方向）に距離Ｌ１を隔てて位置する上流側電極部３２と下流側電極部３３との間に電界が形成される。すなわち、ノズルプレート２８と平行な方向である横方向に電界が形成されることになる。そのため、ノズルプレート２８と直交する方向である縦方向に電界が形成される場合とは異なり、記録ヘッド２５に向けてミスト（副液滴Ｓｄ）が舞い上がることを抑制でき、浮遊しているミストを上流側電極部３２又は下流側電極部３３が位置する側に引き寄せて回収することができる。
【００３９】
（１−２）ノズルプレート２８の直下の狭い空間内で浮遊しているミスト（副液滴Ｓｄ）を、そのノズルプレート２８の直下領域の外側に広がる広い空間に向けて流れ出ようとする気流の流れも利用して、その気流の流れ方向と交差するように延びる上流側電極部３２又は下流側電極部３３に向けて移動させることができる。
【００４０】
（１−３）ノズルプレート２８の直下の空間内に浮遊しているミスト（副液滴Ｓｄ）を媒体Ｐが支持される支持面３０よりもノズルプレート２８から離れた位置において回収できるので、支持面３０上を通過する媒体Ｐが汚れる虞を低減できる。
【００４１】
（１−４）浮遊しているミスト（副液滴Ｓｄ）がプラスに帯電している場合及びマイナスに帯電している場合の何れの場合にも、電位がプラス及びマイナスの何れかである上流側電極部３２及び下流側電極部３３の位置する側にミストを引き寄せて回収することができる。
【００４２】
（１−５）電圧の印加に伴い、仮に、上流側電極部３２（又は下流側電極部３３）とノズルプレート２８との間に電界が形成されるとしても、上流側電極部３２と下流側電極部３３との間の電界強度の方が優るため、ノズルプレート２８の側にミスト（副液滴Ｓｄ）が舞い上がることを効果的に抑制できる。
【００４３】
（第２実施形態）
次に、第２実施形態の記録装置１１について図面を参照して説明する。なお、第２実施形態は、第１実施形態との対比において、記録部１３に除電部材を備えた点で構成が相違し、その他の構成は共通している。そのため、以下では第１実施形態と相違する点について主に説明する。
【００４４】
図４に示すように、本実施形態の記録装置１１における記録部１３には、移動体２６が移動する主走査方向であるＸ軸方向の第１端側（図４では右端側）と第２端側（図４では左端側）とに、導電材料で構成された除電部材４１，４２が設けられている。第１端側の除電部材４１は、例えば原材料に金属粉末が配合されたゴム材料により少なくとも先端側が可撓性を有するように形成されている。そして、移動体２６が第１端側に移動してきたときに、記録ヘッド２５のノズルプレート２８に対して撓み変形しながら接触することにより、ノズルプレート２８を払拭するワイパーとして機能するように構成されている。
【００４５】
その一方、第２端側の除電部材４２は、ステンレス等の金属材料で形成されたフレームであり、移動体２６が第２端側に移動してきたときに、記録ヘッド２５のノズルプレート２８に対して接触するように構成されている。なお、ワイパーとして機能する第１端側の除電部材４１及びフレームである第２端側の除電部材４２は、それぞれグランドに繋がる配線によって接地されている。
【００４６】
さて、本実施形態でも、記録ヘッド２５におけるノズルプレート２８のノズル開口２７から液滴として噴射された液体は、その飛翔の途中で、プラスに帯電したまま媒体Ｐ側に飛翔を続ける相対的に大粒の主液滴Ｍｄと、その主液滴Ｍｄから空気抵抗により分離してマイナスに帯電した状態で浮遊する相対的に小粒の副液滴（ミスト）Ｓｄとに分離する。また、主液滴Ｍｄから空気抵抗により分離して浮遊する副液滴（ミスト）Ｓｄとしては、分離直後は無帯電状態で浮遊し、その後、電圧を印加された上流側電極部３２又は下流側電極部３３からの誘導現象により、マイナス又はプラスに帯電して浮遊するものもある。
【００４７】
そして、この場合において、マイナス又はプラスに帯電して浮遊する副液滴（ミスト）Ｓｄについては、同じく電圧を印加された上流側電極部３２又は下流側電極部３３からの誘導現象により、帯電材料で構成された記録ヘッド２５及び移動体２６が帯電した場合、これら記録ヘッド２５等の側に引き寄せられて付着する虞がある。こうした副液滴Ｓｄの付着は、帯電した記録ヘッド２５や移動体２６から電位を落とさない限り解消されない。そこで、本実施形態では、次のようにして記録ヘッド２５及び移動体２６に対する副液滴Ｓｄの付着を抑制している。
【００４８】
すなわち、図５に示すように、移動体２６を主走査方向（Ｘ軸方向）の第１端側に移動させる。すると、第１端側に設けられた除電部材４１が、記録ヘッド２５におけるノズルプレート２８に接触する。この場合、ノズルプレート２８と除電部材４１とは共に導電材料で構成され、除電部材４１についてはグランドに繋がる配線によって接地されている。そのため、記録ヘッド２５及び移動体２６が帯電していたとしても、ノズルプレート２８と除電部材４１とグランド配線とで構成される通電経路を介して除電される。その結果、マイナス又はプラスに帯電して浮遊する副液滴（ミスト）Ｓｄが記録ヘッド２５等の側に引き寄せられて付着する虞が低減される。
【００４９】
上記第２実施形態によれば、第１実施形態における上記（１−１）〜（１−５）の効果に加えて、以下のような効果を得ることができる。
（２−１）帯電した記録ヘッド２５には浮遊する副液滴（ミスト）Ｓｄが引き寄せられやすいが、そのように帯電した記録ヘッド２５については除電部材４１，４２により除電することにより、そうした副液滴（ミスト）Ｓｄの引き寄せを抑制できる。
【００５０】
（２−２）移動体２６が帯電した場合にも、その移動体２６が移動する方向の第１端側及び第２端側の少なくとも一方の位置において除電部材４１，４２と接触することで除電される。そのため、浮遊している副液滴（ミスト）Ｓｄが移動体２６に付着することを抑制できる。
【００５１】
（第３実施形態）
次に、第３実施形態の記録装置１１について図面を参照して説明する。なお、第３実施形態は、第１実施形態との対比において、移動体２６に除電部材を備えた点で構成が相違し、その他の構成は共通している。そのため、以下では第１実施形態と相違する点について主に説明する。
【００５２】
図６に示すように、本実施形態の記録装置１１における記録部１３において記録ヘッド２５を搭載して主走査方向（Ｘ軸方向）に移動する移動体２６には、導電材料で構成された除電部材４３が設けられている。この除電部材４３は、第２実施形態におけるワイパーとして機能する除電部材４１やフレームとしての除電部材４２とは異なり、移動体２６の移動経路上に移動体２６と接触するように設けられるのではなく、移動体２６そのものに設けられている。
【００５３】
すなわち、本実施形態における除電部材４３は、導電性繊維を含んで構成された除電布であり、帯電材料からなる移動体２６の側面及び下面の少なくとも一箇所（図６では４箇所）に取り付けられている。こうした除電布の除電部材４３は、移動体２６が主走査方向（Ｘ軸方向）に移動したときに、格別に接地された他の除電部材に接触しなくても、その除電布である除電部材４３から空気中に放電することで、移動体２６を除電する。
【００５４】
上記第３実施形態によれば、第１実施形態における上記（１−１）〜（１−５）の効果に加えて、以下のような効果を得ることができる。
（３−１）移動体２６が帯電した場合にも、その移動体２６をグランドに接続するための配線構造を要することなく、簡単な構成で除電することができ、浮遊している副液滴（ミスト）Ｓｄが移動体２６に付着することを抑制できる。
【００５５】
なお、上記の各実施形態は以下に示す変更例のように変更してもよい。また、それらの実施形態に含まれる構成と下記変更例に含まれる構成とを任意に組み合わせてもよいし、下記変更例に含まれる構成同士を任意に組み合わせてもよい。
【００５６】
・第３実施形態において除電布で構成された除電部材４３は、導電性の毛羽等からなる除電ブラシや導電性材料で尖状に形成された除電針で構成されていてもよい。要するに、移動体２６に取り付けられて空気中に放電可能な構成であればよい。
【００５７】
・また、移動体２６の外面に設けられる除電部材４３の個数や位置については第３実施形態の事例に限らず任意である。
・第２実施形態では、移動体２６が移動する方向の第１端側の除電部材４１がフレームで、第２端側の除電部材４２がワイパーとして機能する構成であってもよい。
【００５８】
・第２実施形態では、第１端側及び第２端側の両除電部材４１，４２が、共にフレームであってもよく、又は、共にワイパーとして機能する構成であってもよい。
・第２実施形態においては、第１端側及び第２端側の両除電部材４１，４２のうち一方が省略された構成であってもよい。
【００５９】
・上記各実施形態において、上流側電極部３２と下流側電極部３３の間の距離Ｌ１は、上流側電極部３２（または下流側電極部３３）とノズルプレート２８との間の距離Ｌ２と同じであってもよい。
【００６０】
・上記各実施形態において、上流側電極部３２及び下流側電極部３３は何れか一方が、電源３４，３５から電圧を印加されるのではなく、グランドに繋がる配線によって接地されている構成であってもよい。
【００６１】
・上記各実施形態において、媒体支持部２３に吸収部材３１を設けない構成でもよい。この場合、浮遊する副液滴（ミスト）Ｓｄは、支持台である媒体支持部２３上において、隣り合うリブ２９同士の間となる領域に付着することで回収される。
【００６２】
・上記各実施形態において、上流側電極部３２及び下流側電極部３３は、長尺の板状部材が主走査方向（Ｘ軸方向）に延びている構成ではなく、例えば複数の導電部材が主走査方向（Ｘ軸方向）に並んでいる構成でもよい。要するに、ノズルプレート２８と対向する位置ＯＰを挟んで媒体Ｐの搬送方向（Ｙ軸方向）の上流側と下流側とに配置された構成であればよい。
【００６３】
・記録装置１１は、媒体Ｐの搬送方向と交差する幅方向全体をカバーするノズル群を有した記録ヘッド２５が固定配置され、その記録ヘッド２５と対向する位置を搬送される媒体Ｐに記録ヘッド２５から液体を噴射することで印刷を行う所謂ラインヘッドプリンターであってもよい。
【符号の説明】
【００６４】
１１…記録装置、１１Ａ…装置本体、１３…記録部、２３…媒体支持部、２５…記録ヘッド、２６…移動体、２７…ノズル開口、２８…ノズルプレート、２９…リブ、３０…支持面、３１…吸収部材、３２…上流側電極部、３３…下流側電極部、３４，３５…電極、４１，４２，４３…除電部材、Ｌ１，Ｌ２…距離、Ｍｄ…主液滴、Ｓｄ…副液滴、ＯＰ…対向する位置、Ｐ…媒体。
【図１】
2019064060.tif 000003
【図２】
2019064060.tif 000004
【図３】
2019064060.tif 000005
【図４】
2019064060.tif 000006
【図５】
2019064060.tif 000007
【図６】
2019064060.tif 000008